(57)【要約】【課題】手帳に書き込んだメモを複数の人のそれぞれに渡したいような場合、渡す人数に拘わらず、また、メモの内容に拘わらず簡単に行える手帳を提供すること。【解決手段】手帳１０は、本文１２と、表表紙１４と、裏表紙１６とで構成されている。本文１２は、ノーカーボン紙である中用紙１２０２が多数枚重ね合わされて構成されている。表表紙１４は、本文１２と同じ大きさの矩形で形成されている。裏表紙１６は、本文１２の裏面を覆う第１裏表紙部１６Ａと、第１裏表紙部１６Ａの小口側に屈曲部１６Ｂを介して連接され中用紙の間に挿入されその先端が切り取り線の近傍に至る第２裏表紙部１６Ｃとで構成されている。手帳の使用時、第２裏表紙部１６Ｃは、配るべき人数分の枚数の中用紙１２０２の下に挿入され、最も上位に位置する中用紙１２０２にメモを書き込む。【選択図】図４
2009101654.tif 000002
【特許請求の範囲】
【請求項１】
本文と、
前記本文の表面を覆う表表紙と、
前記本文の裏面を覆う裏表紙とを備え、
前記本文と前記表表紙と前記裏表紙と背側において綴じられており、
前記本文は、ノーカーボン紙である中用紙が多数枚重ね合わされて構成され、
前記各中用紙の背側に、各中用紙を背側から切り取り易くする切り取り線が背に沿って天と地にわたり延在形成され、
前記裏表紙は、前記本文の裏面を覆う第１裏表紙部と、前記第１裏表紙部の小口側に屈曲部を介して連接され前記中用紙の間に挿入されその先端が前記切り取り線の近傍に至る第２裏表紙部とを含んで構成されている、
ことを特徴とする手帳。
【請求項２】
前記表表紙と前記第１裏表紙部とは前記中用紙と同じ大きさで形成され、
それら表表紙と本文と第１裏表紙部は背側において針により綴じられると共にそれらの背側はクロスにより覆われている、
ことを特徴とする請求項１記載の手帳。
【請求項３】
本文と、
前記本文の表面の背側を覆う係止用紙と、
前記本文の裏面を覆う裏表紙とを備え、
前記本文と前記係止用紙と前記裏表紙とは背側において綴じられており、
前記本文は、ノーカーボン紙である中用紙が多数枚重ね合わされて構成され、
前記各中用紙の背側に、各中用紙を背側から切り取り易くする切り取り線が背に沿って天と地にわたり延在形成され、
前記裏表紙は、前記本文の裏面を覆う第１裏表紙部と、前記第１裏表紙部の小口側に屈曲部を介して連接され前記本文の表面を覆いその先端が前記係止用紙と前記本文の表面との間に挿入されて係止される第２裏表紙部とを含んで構成されている、
ことを特徴とする手帳。
【請求項４】
前記係止用紙と前記裏表紙とは単一の厚紙で構成されている、
ことを特徴とする請求項３記載の手帳。
【請求項５】
前記係止用紙と前記裏表紙とは単一の厚紙で構成され、
前記単一の厚紙は、前記中用紙の天と地との間の寸法に等しい高さと、この高さよりも大きい寸法の幅を持った長方形を呈し、
前記長方形を呈する前記厚紙の２つの短辺のうちの１つの短辺が本文の表紙の背に合わされ表紙の上に載せられて前記短辺の近傍の前記厚紙部分が本文の背と共に綴じられた第１係止部とされ、
前記第１係止部に続く前記厚紙部分は、前記切り取り線の近傍で前記第１係止部の上に折り返され重ねられた第２係止部とされ、
前記第２係止部に続く前記厚紙部分は、背で屈曲され前記本文の背を覆う背部とされ、
前記裏表紙は前記背部に連接され、
前記第１係止部と前記第２係止部とにより前記係止用紙が構成されている、
ことを特徴とする請求項３記載の手帳。
【発明の詳細な説明】
【技術分野】
【０００１】
本発明は、複写機能を備えた手帳に関する。
【背景技術】
【０００２】
従来、手帳は、ポケットやカバンなどに入れて携帯され、必要時に、必要な事項が記入できるように構成されている（特許文献１、特許文献２）。
【特許文献１】特開２０００−２８０６５４
【特許文献２】特開平５−３３８３８１
【発明の開示】
【発明が解決しようとする課題】
【０００３】
しかしながら、例えば、複数の人を連れて現地に行き、手帳に書き込んだメモを現地でそれら複数の人のそれぞれに渡したいような場合、同じメモを何べんも手帳に書き込む必要があり、面倒となる。
メモの内容が簡単な場合は、渡す人が２人、３人の場合はともかく、メモの内容が簡単でも渡す人が５人、６人と増えると面倒になり、メモの内容が複雑になると、渡す人が２人、３人の場合でも面倒になる。
本発明は前記事情に鑑み案出されたものであって、本発明の目的は、手帳に書き込んだメモを複数の人のそれぞれに渡したいような場合、渡す人数に拘わらず、また、メモの内容に拘わらず簡単に行える手帳を提供することにある。
【課題を解決するための手段】
【０００４】
前記目的を達成するため本発明の手帳は、本文と、前記本文の表面を覆う表表紙と、前記本文の裏面を覆う裏表紙とを備え、前記本文と前記表表紙と前記裏表紙と背側において綴じられており、前記本文は、ノーカーボン紙である中用紙が多数枚重ね合わされて構成され、前記各中用紙の背側に、各中用紙を背側から切り取り易くする切り取り線が背に沿って天と地にわたり延在形成され、前記裏表紙は、前記本文の裏面を覆う第１裏表紙部と、前記第１裏表紙部の小口側に屈曲部を介して連接され前記中用紙の間に挿入されその先端が前記切り取り線の近傍に至る第２裏表紙部とを含んで構成されていることを特徴とする。
また、本発明の手帳は、本文と、前記本文の表面の背側を覆う係止用紙と、前記本文の裏面を覆う裏表紙とを備え、前記本文と前記係止用紙と前記裏表紙とは背側において綴じられており、前記本文は、ノーカーボン紙である中用紙が多数枚重ね合わされて構成され、前記各中用紙の背側に、各中用紙を背側から切り取り易くする切り取り線が背に沿って天と地にわたり延在形成され、前記裏表紙は、前記本文の裏面を覆う第１裏表紙部と、前記第１裏表紙部の小口側に屈曲部を介して連接され前記本文の表面を覆いその先端が前記係止用紙と前記本文の表面との間に挿入されて係止される第２裏表紙部とを含んで構成されていることを特徴とする。
【発明の効果】
【０００５】
本発明の手帳によれば、第２裏表紙部を、メモを配るべき人数分の枚数の中用紙の下に挿入し、最も上位に位置する中用紙にメモを書き込み、書き込み後、切り取り線から中用紙を切り離し、配るべき複数の人にメモが書き込まれた中用紙をそれぞれ渡すことができる。
【発明を実施するための最良の形態】
【０００６】
以下、本発明の実施の形態を図面にしたがって説明する。
（第１の実施の形態）
図１は手帳の斜視図、図２は表表紙を開いた手帳の斜視図、図３は裏表紙を展開した手帳の斜視図、図４は本文頁の間に第２裏表紙部を挿入した手帳の斜視図、図５は手帳の分解斜視図を示す。
手帳１０はポケットに挿入できる大きさで形成されており、手帳１０は、本文１２と、表表紙１４と、裏表紙１６とを含んで構成されている。
本文１２と表表紙１４と裏表紙１６とは背側において針１７（図１参照）で綴じられ、クロス１８（図５参照）で覆われている。なお、本文１２の背を糊で綴じるなど任意であり、本文１２と表表紙１４と裏表紙１６とを背側において綴じる方法は、従来公知の様々な方法が採用可能である。
【０００７】
本文１２は、ノーカーボン紙である中用紙１２０２が多数枚重ね合わされて構成されている。
各中用紙１２０２は、発色剤が設けられた面が裏表紙１６側に臨むように配置されている。
各中用紙１２０２の背側に、各中用紙１２０２を背側から切り取り易くする切り取り線２０が背に沿って背と平行に天と地にわたり延在形成されている。切り取り線は、例えば、ミシン目や多数の切れ目などで形成される。
【０００８】
表表紙１４は、本文１２の表面を覆うものであり、本文１２と同じ大きさの矩形で形成されている。
表表紙１４は、携帯時に中用紙１２０２に圧力がかかって無用の模様などが描かれないように中用紙１２０２を保護するためのものであり、厚紙や合成樹脂製のシートなどが用いられる。
表表紙１４の背側には、表表紙１４を開きやすいように折れ線１４０２が設けられている。
そして表表紙１４は、折れ線１４０２よりも背側に位置する部分が第１表表紙部１４Ａとなっており、折れ線１４０２よりも小口側に位置する部分が第２表表紙部１４Ｂとなっており、第２表表紙部１４Ｂが折れ線１４０２を境に開閉される。
【０００９】
裏表紙１６は、本文１２の裏面を覆うものであり、裏表紙１６は、図５に示すように、中用紙１２０２の天と地との間の寸法に等しい高さと、この高さよりも大きい寸法の幅を持った長方形を呈している。この長方形の幅は、本実施の形態では、本文１２の背と小口との間の寸法の２倍よりも僅かに小さい寸法である。
そして、裏表紙１６は、本文１２の裏面を覆う第１裏表紙部１６Ａと、第１裏表紙部１６Ａの小口側に屈曲部１６Ｂを介して連接され中用紙の間に挿入されその先端が切り取り線の近傍に至る第２裏表紙部１６Ｃとで構成されている。
屈曲部１６Ｂは、本文１２の厚さに対応した間隔をおいた２本の平行な折れ線１６０２を含んで構成されている。
第２裏表紙部１６Ｃは、手帳１０の携帯時には、屈曲部１６Ｂから折られて第１裏表紙部１６Ａ上に折り畳まれ、本文１０の裏面に重ねられる。
また、手帳の使用時には、第２裏表紙部１６Ｃは中用紙１２０２の間に差し込まれる。このとき、第２裏表紙部１６Ｃの先端は、切り取り線２０よりも背側に位置する寸法で形成されている。
【００１０】
次に、手帳１０の使用方法について説明する。
携帯時には、図１に示すように、表表紙１４を本文１２の表面に重ね、また、第２裏表紙部１６Ｃを屈曲部１６Ｂから第１裏表紙部１６Ａ上に折り返して本文１０の裏面に重ね、このようにして本文１２の裏面に第２裏表紙部１６Ｃおよび第１裏表紙部１６Ａを重ね、本文１２の両面を表表紙１４と裏表紙１６とで覆う。
これにより、携帯時に、中用紙１２０２に圧力がかかって無用の模様などが描かれることが防止される。
【００１１】
次に、手帳１０の使用時について説明する。
例えば、５人を引き連れて現地に行き、現地において５人に、複数事項にわたるメモを渡す場合を想定する。
まず手帳１０をポケットやカバンから取り出し、図２、図３に示すように、表表紙１４の第２表表紙部１４Ｂを折れ線１４０２から開き、また、第２裏表紙部１６Ｃを本文１２の裏面から引き出す。
つぎに、図４に示すように、第２裏表紙部１６Ｃを屈曲部１６Ｂで折り、５枚の中用紙１２０２の下に、言い換えると、６枚目の中用紙１２０２の上に挿入する。
そして、５枚の中用紙１２０２のうち最も上位に位置する中用紙１２０２に、複数事項にわたるメモを書き込む。これにより、最も上位に位置する中用紙１２０２の下に位置する４枚の中用紙１２０２に同一のメモが複写され、また、第２裏表紙部１６Ｃが位置していることから第２裏表紙部１６Ｃの下方に位置する中用紙１２０２にはメモが複写されることはない。
つぎに、メモが書き込まれた５枚の中用紙１２０２を切り取り線２０から切り取り、それぞれ５人に渡す。
従って、本実施の形態によれば、複数の人を連れて現地に行き、手帳に書き込んだメモを現地でそれら複数の人のそれぞれに渡したいような場合、同じメモを人数分何べんも書き込む必要がなくなり、極めて便利となる。
【００１２】
（第２の実施の形態）
次に、第２の実施の形態について説明する。
図６は手帳の斜視図、図７は表表紙を開いた手帳の斜視図、図８は本文頁の間に第２裏表紙部を挿入した手帳の斜視図、図９は表紙を展開した状態の手帳の分解斜視図を示す。
手帳３０はポケットに挿入できる大きさで形成されており、本文３２と、係止用紙３４と、裏表紙３６とを備えている。
【００１３】
本文３２は、第１の実施の形態と同様に、ノーカーボン紙である中用紙３２０２が多数枚重ね合わされて構成され、各中用紙３２０２は、発色剤が設けられた面が裏表紙３６側に臨むように配置されている。
各中用紙３２０２の背側に、各中用紙３２０２を背側から切り取り易くする切り取り線３３が背に沿って背と平行に天と地にわたり延在形成されている。
【００１４】
係止用紙３４は、本文３２の表面の背側を覆うものである。
裏表紙３６は、本文３２の裏面を覆う第１裏表紙部３６Ａと、第１裏表紙部３６Ａの小口側に屈曲部３６Ｂを介して連接され本文３２の表面を覆いその先端が係止用紙３４と本文３２の表面との間に挿入されて係止される第２裏表紙部３６Ｃとを含んで構成され、したがって、この実施の形態では、第２裏表紙部３６Ｃが、本文３２の表面を覆う表表紙となっている。
屈曲部３６Ｂは、本文３２の厚さに対応した間隔をおいた２本の平行な折れ線５００２を含んで構成されている。
【００１５】
さらに、本実施の形態では、図９に示すように、係止用紙３４と裏表紙３６とは単一の厚紙５０で構成されている。
単一の厚紙５０は、中用紙３２０２の天と地との間の寸法に等しい高さと、この高さよりも大きい寸法の幅を持った長方形を呈している。
そして、長方形を呈する厚紙５０の２つの短辺のうちの１つの短辺が本文３２の表面の背に合わされて本文３２の上に載せられ、短辺の近傍の厚紙部分５０Ａが本文３２の背と共に針３７で綴じられており、この厚紙部分５０Ａが第１係止部４０となっている。
第１係止部４０に続く厚紙部分５０Ｂは、切り取り線４０の手前で折れ線５００４を境に第１係止部４０の上に折り返され重ねられた第２係止部４２とされる。
第２係止部４２に続く厚紙部分５０Ｃは、背の上で折れ線５００６を境に屈曲され本文３２の背を覆う背部４４とされる。
そして、背部４４に折れ線５００８を介して続く厚紙部分が第１裏表紙部３６Ａ、屈曲部３６Ｂ、第２裏表紙部３６Ｃとなっている。
従って、本実施の形態では、第１係止部４０と第２係止部４２とにより係止用紙３４が構成されている。
【００１６】
次に、手帳３０の使用方法について説明する。
携帯時には、図６に示すように、第１裏表紙部３６Ａで本文３２の裏面を覆い、第２裏表紙部３６Ｃで本文３２の表面を覆い、第２裏表紙部３６Ｃの先端を係止用紙３４と本文３２の表面との間に挿入する。
これにより、携帯時に、中用紙３２０２に圧力がかかって無用の模様などが描かれることが防止される。
【００１７】
次に、手帳３０の使用時について説明する。
第１の実施の形態と同様に、５人を引き連れて現地に行き、現地において５人に、複数事項にわたるメモを渡す場合を想定する。
まず手帳３０をポケットやカバンから取り出し、図７に示すように、第２裏表紙部３６Ｃの先端を、係止用紙３４と本文３２の表面との間から引き出し、第２裏表紙部３６Ｃを屈曲部３６Ｂを境に開く。
つぎに、図８に示すように、第２裏表紙部３６Ｃを屈曲部３６Ｂで折り、５枚の中用紙３２０２の下に、言い換えると、６枚目の中用紙３２０２の上に挿入する。
そして、５枚の中用紙３２０２のうち最も上位に位置する中用紙３２０２に、複数事項にわたるメモを書き込む。これにより、最も上位に位置する中用紙３２０２の下に位置する４枚の中用紙３２０２に同一のメモが複写され、また、第２裏表紙部３６Ｃが位置していることから第２裏表紙部３６Ｃの下方に位置する中用紙３２０２にはメモが複写されることはない。
つぎに、メモが書き込まれた５枚の中用紙３２０２を切り取り線３３から切り取り、それぞれ５人に渡す。
従って、本実施の形態によれば、第１の実施の形態と同様に、複数の人を連れて現地に行き、手帳に書き込んだメモを現地でそれら複数の人のそれぞれに渡したいような場合、同じメモを人数分何べんも書き込む必要がなくなり、極めて便利となる。
【００１８】
（第３の実施の形態）
次に、第３の実施の形態について説明する。
図１０は手帳の斜視図、図１１は第２裏表紙部を開いた手帳の斜視図、図１２は手帳の分解斜視図を示す。
第３の実施の形態は第２の実施の形態の変形例であり、第３の実施の形態では、係止用紙３４と裏表紙３６とが切り離された別の材料で形成されている点が第２の実施の形態と異なっている。
第３の実施の形態と同様な箇所、部材に同一の符号を付して説明すると、手帳３０はポケットに挿入できる大きさで形成されており、本文３２と、係止用紙３４と、裏表紙３６とを備えている。
【００１９】
本文３２は、第１、第２の実施の形態と同様に、ノーカーボン紙である中用紙３２０２が多数枚重ね合わされて構成され、各中用紙３２０２は、発色剤が設けられた面が裏表紙３６側に臨むように配置されている。
各中用紙３２０２の背側に、各中用紙３２０２を背側から切り取り易くする切り取り線３３が背に沿って背と平行に天と地にわたり延在形成されている。
【００２０】
係止用紙３４は、本文３２の表面の背側を覆うものである。
裏表紙３６は、本文３２の裏面を覆う第１裏表紙部３６Ａと、第１裏表紙部３６Ａの小口側に屈曲部３６Ｂを介して連接され本文３２の表面を覆いその先端が係止用紙３４と本文３２の表面との間に挿入されて係止される第２裏表紙部３６Ｃとを含んで構成され、したがって、第２の実施の形態と同様に、第２裏表紙部３６Ｃが、本文３２の表面を覆う表表紙となっている。
屈曲部３６Ｂは、本文３２の厚さに対応した間隔をおいた２本の平行な折れ線５００２を含んで構成されている。
【００２１】
本文３２と係止用紙３４と裏表紙３６とは背側において針１７（図１０参照）で綴じられ、クロス１８（図５参照）で覆われている。なお、本文３２の背を糊で綴じるなど任意であり、本文１２と係止用紙３４と裏表紙３６とを背側において綴じる方法は、従来公知の様々な方法が採用可能である。
【００２２】
手帳３０の使用方法は、第２の実施の形態と同様である。
携帯時には、図１０に示すように、第１裏表紙部３６Ａで本文３２の裏面を覆い、第２裏表紙部３６Ｃで本文３２の表面を覆い、第２裏表紙部３６Ｃの先端を係止用紙３４と本文３２の表面との間に挿入する。これにより、携帯時に、中用紙３２０２に圧力がかかって無用の模様などが描かれることが防止される。
また、手帳３０の使用時には、図１１に示すように、第２裏表紙部３６Ｃの先端を、係止用紙３４と本文３２の表面との間から引き出し、第２裏表紙部３６Ｃを屈曲部３６Ｂを境に開く。
つぎに、第２裏表紙部３６Ｃを屈曲部３６Ｂで折り、配るべき人数分の枚数の中用紙３２０２の下に挿入する（図８参照）。
そして、最も上位に位置する中用紙３２０２に、複数事項にわたるメモを書き込む。これにより、最も上位に位置する中用紙３２０２の下に位置する複数枚の中用紙３２０２に同一のメモが複写され、また、第２裏表紙部３６Ｃが位置していることから第２裏表紙部３６Ｃの下方に位置する中用紙３２０２にはメモが複写されることはない。
このような第３の実施の形態によっても第２の実施の形態と同様な効果が奏される。
【図面の簡単な説明】
【００２３】
【図１】第１の実施の形態の手帳の斜視図である。
【図２】表表紙を開いた手帳の斜視図である。
【図３】裏表紙を展開した手帳の斜視図である。
【図４】本文頁の間に第２裏表紙部を挿入した手帳の斜視図である。
【図５】手帳の分解斜視図である。
【図６】第２の実施の形態の手帳の斜視図である。
【図７】表表紙を開いた手帳の斜視図である。
【図８】本文頁の間に第２裏表紙部を挿入した手帳の斜視図である。
【図９】表紙を展開した状態の手帳の分解斜視図である。
【図１０】第３の実施の形態の手帳の斜視図である。
【図１１】第２裏表紙部を開いた手帳の斜視図である。
【図１２】手帳の分解斜視図である。
【符号の説明】
【００２４】
１０、３０……手帳、１２、３２……本文、１４……表表紙、１６、３６……裏表紙、３４……係止用紙。
【図１】
2009101654.tif 000003
【図２】
2009101654.tif 000004
【図３】
2009101654.tif 000005
【図４】
2009101654.tif 000006
【図５】
2009101654.tif 000007
【図６】
2009101654.tif 000008
【図７】
2009101654.tif 000009
【図８】
2009101654.tif 000010
【図９】
2009101654.tif 000011
【図１０】
2009101654.tif 000012
【図１１】
2009101654.tif 000013
【図１２】
2009101654.tif 000014